(57)【要約】本発明の円形キーパッドの配列を利用した文字入力装置は、ベース上の所定位置に用意された入力半径内に定義される基準位置から前記基準位置を中心に放射状で離隔配置された複数の第１方向指示位置の中である１つを選択する第１方向入力と、入力部自体に放射状で離隔配置される複数の第２方向指示位置の中である１つを選択する第２方向入力がそれぞれ独立的に遂行可能に用意される、前記入力部；前記第１方向入力を感知する第１感知部；前記第２方向入力を感知する第２感知部；前記第１方向指示位置と対応される位置に第１文字が配列されて、前記第２方向指示位置と対応される位置に第２文字が配列されて、前記第１方向入力または前記第２方向入力が遂行された状態では前記第１方向入力に割り当てされた前記第１文字または前記第２方向入力に割り当てされた前記第２文字から派生される派生文字が表示される文字表示部；及び前記第１方向入力が感知された前記第１方向指示位置に割り当てされた前記第１文字、前記第２方向入力が感知された前記第２方向指示位置に割り当てされた前記第２文字、または前記第１方向入力と前記第２方向入力の連続遂行によって割り当てされた前記派生文字をメモリー部から抽出してディスプレーされるようにする制御部を含む。【選択図】なし
2011529597.tif 000002
【特許請求の範囲】
【請求項１】
ベース上の所定位置に用意された入力半径内に定義される基準位置から前記基準位置を中心に放射状で離隔配置された複数の第１方向指示位置の中である１つを選択する第１方向入力と、入力部自体に放射状で離隔配置される複数の第２方向指示位置の中である１つを選択する第２方向入力がそれぞれ独立的に遂行可能に用意される、前記入力部；
前記第１方向入力を感知する第１感知部；
前記第２方向入力を感知する第２感知部；
前記第１方向指示位置と対応される位置に第１文字が配列されて、前記第２方向指示位置と対応される位置に第２文字が配列されて、前記第１方向入力または前記第２方向入力が遂行された状態では前記第１方向入力に割り当てされた前記第１文字または前記第２方向入力に割り当てされた前記第２文字から派生される派生文字が表示される文字表示部；及び
前記第１方向入力が感知された前記第１方向指示位置に割り当てされた前記第１文字、前記第２方向入力が感知された前記第２方向指示位置に割り当てされた前記第２文字、または前記第１方向入力と前記第２方向入力の連続遂行によって割り当てされた前記派生文字をメモリー部から抽出してディスプレーされるようにする制御部；
を含むことを特徴にする円形キーパッドの配列を利用した文字入力装置。
【請求項２】
前記第１方向指示位置及び前記第２方向指示位置は前記基準位置から放射状４個から１２個で提供されることを特徴にする、請求項１に記載の円形キーパッドの配列を利用した文字入力装置。
【請求項３】
前記第１方向指示位置には日本語平仮名の基本音の中で前提字である「あ、か、さ、た、な、は、ま、ら」が第１文字に配列されて、前記第２方向指示位置には日本語平仮名の基本音の中で独立字である「や、ゆ、よ、わ、を、ん」と選択キー及び変換キーが第２文字で配列されて、
前記派生文字は、第１文字である「あ」に対しては「い、う、え、お」で、第１文字である「か」に対しては「き、く、け、こ」であり、第１文字である「さ」に対しては「し、す、せ、そ」で、第１文字である「た」に対しては「ち、つ、て、と」であり、第１文字である「な」に対しては「に、ぬ、ね、の」で、第１文字な「は」に対しては「ひ、ふ、へ、ほ」であり、第１文字である「ま」に対しては「み、む、め、も」で、第１文字である「ら」に対しては「り、る、れ、ろ」であるのを特徴にする、請求項２に記載の円形キーパッドの配列を利用した文字入力装置。
【請求項４】
前記第２方向指示位置には日本語平仮名の基本音の中で前提字である「あ、か、さ、た、な、は、ま、ら」が第２文字に配列されて、前記第１方向指示位置には日本語平仮名の基本音の中で独立字である「や、ゆ、よ、わ、を、ん」と選択キー及び変換キーが第１文字で配列されて、
前記派生文字は、第２文字である「あ」に対しては「い、う、え、お」で、第２文字である「か」に対しては「き、く、け、こ」であり、第２文字である「さ」に対しては「し、す、せ、そ」で、第２文字である「た」に対しては「ち、つ、て、と」であり、第２文字である「な」に対しては「に、ぬ、ね、の」で、第２文字である「は」に対しては「ひ、ふ、へ、ほ」であり、第２文字である「ま」に対しては「み、む、め、も」で、第２文字である「ら」に対しては「り、る、れ、ろ」であるのを特徴にする、請求項２に記載の円形キーパッドの配列を利用した文字入力装置。
【請求項５】
前記提供された第１方向指示位置と第２方向指示位置の中一部個所には日本語平仮名の基本音の中で前提字である「あ、か、さ、た、な、は、ま、ら」が第１文字と第２文字に配列されて、
前記一部個所以外の残り第１方向指示位置と第２方向指示位置には日本語平仮名の基本音の中で独立字である「や、ゆ、よ、わ、を、ん」と選択キー及び変換キーが第１文字と第２文字で配列されて、
前記派生文字は、「あ」に対しては「い、う、え、お」で、「か」に対しては「き、く、け、こ」であり、「さ」に対しては「し、す、せ、そ」で、「た」に対しては「ち、つ、て、と」であり、「な」に対しては「に、ぬ、ね、の」で、「は」に対しては「ひ、ふ、へ、ほ」であり、「ま」に対しては「み、む、め、も」で、「ら」に対しては「り、る、れ、ろ」であるのを特徴にする、請求項２に記載の円形キーパッドの配列を利用した文字入力装置。
【請求項６】
前記第１方向入力と前記第２方向入力の中１つの方向入力によって特定前提字に対応する第１文字または第２文字が選択されれば、前記派生文字は前記文字表示部上の上下左右正方向または対角方向にそれぞれ配置されることと同時に、前記派生文字が表示されたある一方向への他の１つの方向入力によって入力処理されることを特徴にする、請求項３から５のうちのいずれか一項に記載の円形キーパッドの配列を利用した文字入力装置。
【請求項７】
前記提供された第１方向指示位置と第２方向指示位置の中一部個所には日本語平仮名の基本音の中で前提字である「あ、か、さ、た、な、は、ま、ら」が第１文字と第２文字に配列されて、
前記一部個所以外の残り第１方向指示位置と第２方向指示位置には日本語平仮名の基本音の中で独立字である「や、ゆ、よ、わ、を、ん」中の１つ以上と選択キーと変換キーを含んだ機能キーが第１文字と第２文字に配列されて、
前記派生文字は、「あ」に対しては「い、う、え、お」で、「か」に対しては「き、く、け、こ」であり、「さ」に対しては「し、す、せ、そ」で、「た」に対しては「ち、つ、て、と」であり、「な」に対しては「に、ぬ、ね、の」で、「は」に対しては「ひ、ふ、へ、ほ」であり、「ま」に対しては「み、む、め、も」で、「ら」に対しては「り、る、れ、ろ」であるのを特徴にする、請求項２に記載の円形キーパッドの配列を利用した文字入力装置。
【請求項８】
前記文字表示部に表示された独立字の中１つを選択するために前記第１方向入力と前記第２方向入力の中ある１つの方向入力を遂行すれば、前記表示された独立字以外の他の独立字が前記文字表示部に表示されることと同時に、前記他の独立字が表示されたどれの一方向への他の１つの方向入力によって入力処理されることを特徴にする、請求項７に記載の円形キーパッドの配列を利用した文字入力装置。
【請求項９】
前記選択キーに対する前記方向入力によって現在入力された文字に対する濁音または半濁音可否が決定されることを特徴にする、請求項３から５または請求項７のうちのいずれか一項に記載の円形キーパッドの配列を利用した文字入力装置。
【請求項１０】
前記変換キーに対する前記方向入力によって平仮名と片仮名の間のモード変換または現在入力された文字の漢字変換が遂行されるのを特徴にする、請求項３から５または７のうちのいずれか一項に記載の円形キーパッドの配列を利用した文字入力装置。
【請求項１１】
ベース上の所定位置に用意された入力半径内に定義される基準位置から前記基準位置を中心に放射状で離隔配置された複数の第１方向指示位置の中ある１つを選択する第１方向入力と、入力部自体に放射状で離隔配置される複数の第２方向指示位置らの中ある１つを選択する第２方向入力、及び前記基準位置に提供される中央入力キーを選択する選択入力がそれぞれ独立的に遂行可能に用意される、前記入力部；
前記第１方向入力を感知する第１感知部；
前記第２方向入力を感知する第２感知部；
前記選択入力を感知する第３感知部；
前記第１方向指示位置と対応される位置に第１文字が配列されて、前記第２方向指示位置と対応される位置に第２文字が配列されて、前記第１方向入力または前記第２方向入力が遂行されれば前記第１方向入力に割り当てされた前記第１文字または前記第２方向入力に割り当てされた前記第２文字から派生される派生文字が表示される文字表示部；及び
前記第１方向入力が感知された前記第１方向指示位置に割り当てされた前記第１文字、前記第２方向入力が感知された前記第２方向指示位置に割り当てされた前記第２文字、または前記第１方向入力と第２方向入力の順次な遂行に割り当てされた前記派生文字をメモリー部から抽出してディスプレーされるようにする制御部を含み；
前記制御部は前記第１文字または前記第２文字が選択された後前記選択入力が遂行される場合に前記第１文字または前記第２文字を入力処理して、前記第１文字または前記第２文字が選択された後表示される派生文字を選択する場合には前記派生文字を入力処理することを特徴にする、円形キーパッドの配列を利用した文字入力装置。
【請求項１２】
前記第１方向指示位置及び第２方向指示位置は、前記基準位置から放射状４個から１２個で提供されることを特徴にする、請求項１１に記載の円形キーパッドの配列を利用した文字入力装置。
【請求項１３】
前記第１方向指示位置には日本語平仮名の基本音の中で前提字である「あ、か、さ、た、な、は、ま、ら」が第１文字に配列されて、前記第２方向指示位置には日本語平仮名の基本音の中で独立字である「や、ゆ、よ、わ、を、ん」と選択キー及び変換キーが第２文字で配列されて、
前記派生文字は、第１文字である「あ」に対しては「い、う、え、お」で、第１文字である「か」に対しては「き、く、け、こ」であり、第１文字である「さ」に対しては「し、す、せ、そ」で、第１文字である「た」に対しては「ち、つ、て、と」であり、第１文字である「な」に対しては「に、ぬ、ね、の」で、第１文字な「は」に対しては「ひ、ふ、へ、ほ」であり、第１文字である「ま」に対しては「み、む、め、も」で、第１文字である「ら」に対しては「り、る、れ、ろ」であるのを特徴にする、請求項１２に記載の円形キーパッドの配列を利用した文字入力装置。
【請求項１４】
前記第２方向指示位置には日本語平仮名の基本音の中で前提字である「あ、か、さ、た、な、は、ま、ら」が第２文字に配列されて、前記第１方向指示位置には日本語平仮名の基本音の中で独立字である「や、ゆ、よ、わ、を、ん」と選択キー及び変換キーが第１文字で配列されて、
前記派生文字は、第２文字である「あ」に対しては「い、う、え、お」で、第２文字である「か」に対しては「き、く、け、こ」であり、第２文字である「さ」に対しては「し、す、せ、そ」で、第２文字である「た」に対しては「ち、つ、て、と」であり、第２文字である「な」に対しては「に、ぬ、ね、の」で、第２文字な「は」に対しては「ひ、ふ、へ、ほ」であり、第２文字である「ま」に対しては「み、む、め、も」で、第２文字である「ら」に対しては「り、る、れ、ろ」であるのを特徴にする、請求項１２項に記載の円形キーパッドの配列を利用した文字入力装置。
【請求項１５】
前記提供された第１方向指示位置と第２方向指示位置の中一部個所には日本語平仮名の基本音の中で前提字である「あ、か、さ、た、な、は、ま、ら」が第１文字と第２文字に配列されて、
前記一部個所以外の残り第１方向指示位置と第２方向指示位置には日本語平仮名の基本音の中で独立字である「や、ゆ、よ、わ、を、ん」と選択キー及び変換キーが第１文字と第２文字で配列されて、
前記派生文字は、「あ」に対しては「い、う、え、お」で、「か」に対しては「き、く、け、こ」であり、「さ」に対しては「し、す、せ、そ」で、「た」に対しては「ち、つ、て、と」であり、「な」に対しては「に、ぬ、ね、の」で、「は」に対しては「ひ、ふ、へ、ほ」であり、「ま」に対しては「み、む、め、も」で、「ら」に対しては「り、る、れ、ろ」であるのを特徴にする、請求項１２に記載の円形キーパッドの配列を利用した文字入力装置。
【請求項１６】
前記第１方向入力と第２方向入力の中１つの方向入力によって特定前提字に対応する第１文字または第２文字が選択されれば、前記派生文字は前記文字表示部上の上下左右正方向または対角方向にそれぞれ配置されて、
前記特定前提字を入力するために選択入力を遂行するとか前記特定前提字に対して他の１つの方向入力を遂行して、
前記派生文字を入力するために前記派生文字が表示されたある一方向への他の１つの方向入力を遂行して入力することを特徴にする、請求項１３から１５のいずれか一項に記載の円形キーパッドの配列を利用した文字入力装置。
【請求項１７】
前記提供された第１方向指示位置と第２方向指示位置の中一部個所には日本語平仮名の基本音の中で前提字である「あ、か、さ、た、な、は、ま、ら」が第１文字と第２文字に配列されて、
前記一部個所以外の残り第１方向指示位置と第２方向指示位置には日本語平仮名の基本音の中で独立字である「や、ゆ、よ、わ、を、ん」中の１つ以上と選択キーと変換キーを含んだ機能キーが第１文字と第２文字に配列されて、
前記派生文字は、「あ」に対しては「い、う、え、お、」で、「か」に対しては「き、く、け、こ」であり、「さ」に対しては「し、す、せ、そ」で、「た」に対しては「ち、つ、て、と」であり、「な」に対しては「に、ぬ、ね、の」で、「は」に対しては「ひ、ふ、へ、ほ」であり、「ま」に対しては「み、む、め、も」で、「ら」に対しては「り、る、れ、ろ」であるのを特徴にする、請求項１２に記載の円形キーパッドの配列を利用した文字入力装置。
【請求項１８】
前記文字表示部に表示された独立字の中１つを選択するために第１方向入力と第２方向入力の中ある１つの方向入力を遂行すれば、前記表示された独立字以外の他の独立字が前記文字表示部に表示されて、前記他の独立字が表示されたある一方向への他の１つの方向入力によって入力処理されることを特徴にする、請求項１７に記載の円形キーパッドの配列を利用した文字入力装置。
【請求項１９】
前記第１方向入力と第２方向入力の中１つの方向入力によって特定前提字に対応する第１文字または第２文字が選択されれば、前記特定前提字とそれに対する派生文字が前記文字表示部上に表示されて、前記特定前提字を入力するために選択入力を遂行するとか前記特定前提字に対して他の１つの方向入力を遂行して、前記派生文字を入力するために前記派生文字が表示されたある一方向への他の１つの方向入力を遂行して入力することを特徴にする、請求項１３から１５または１７のいずれか一項に記載の円形キーパッドの配列を利用した文字入力装置。
【請求項２０】
前記文字表示部には、個別的に遂行された選択入力によって複数個の機能キーが配置されて、前記機能キーに対する第１方向入力または第２方向入力を遂行すれば、前記制御部は、それに対応する機能の実行、文字の変換または追加的なデータの入力を処理することを特徴にする、請求項１１に記載の円形キーパッドの配列を利用した文字入力装置。
【請求項２１】
所定の入力半径内で基準位置から前記基準位置を中心に放射状に離隔配置された複数の第１方向指示位置中ある１つを選択する第１方向入力と、前記基準位置を中心に放射状で離隔配置される複数の第２方向指示位置の中である１つを選択する第２方向入力、及び選択キーを具備して前記選択キーを選択する選択入力がそれぞれ独立的に遂行可能に用意される入力部；
前記第１方向入力を感知する第１感知部；
前記第２方向入力を感知する第２感知部；
前記選択入力を感知する第３感知部；
前記第１方向指示位置と対応される位置に第１文字及び前記第１文字から派生される派生文字が配列されて、前記第２方向指示位置と対応される位置に第２文字及び前記第２文字から派生される派生文字が配列される文字表示部；及び
前記第１方向入力が感知された前記第１方向指示位置に割り当てされた前記第１文字、前記第２方向入力が感知された前記第２方向指示位置に割り当てされた前記第２文字、または前記第１方向入力または前記第２方向入力が遂行された後前記選択入力が遂行されるによって前記第１文字または前記第２文字から派生される前記派生文字をメモリー部から抽出してディスプレーされるようにする制御部；
を含むことを特徴にする、円形キーパッドの配列を利用した文字入力装置。
【請求項２２】
前記選択キーは前記入力部の前記基準位置に用意されるとか前記第１方向指示位置及び第２方向指示位置の外郭に用意されることを特徴にする、請求項２１に記載の円形キーパッドの配列を利用した文字入力装置。
【請求項２３】
前記第１方向指示位置及び前記第２方向指示位置は、前記基準位置から放射状に４個から１２個で提供されることを特徴にする、請求項２２に記載の円形キーパッドの配列を利用した文字入力装置。
【請求項２４】
2011529597.tif 000009
【請求項２５】
2011529597.tif 000010
【請求項２６】
2011529597.tif 000011
【請求項２７】
英語アルファベットを２文字ずつ組を作ってその中１つの文字らを第１文字と第２文字として前記第１方向指示位置と前記第２方向指示位置に割り当てして前記文字表示部に表示して、
前記英語アルファベットで残り文字らは組を成す第１文字または第２文字の派生文字として前記文字表示部に表示して、
前記第１方向指示位置と前記第２方向指示位置でアルファベットが割り当てされなかった方向指示位置には機能キーを割り当てして前記文字表示部に表示することを特徴にする、請求項２３に記載の円形キーパッドの配列を利用した文字入力装置。
【請求項２８】
前記第１方向入力と前記第２方向入力の中１つの方向入力を遂行すれば、前記第１方向入力または前記第２方向入力に対応する第１文字または第２文字が入力処理されることを特徴にする、請求項２４から２７のいずれか一項に記載の円形キーパッドの配列を利用した文字入力装置。
【請求項２９】
前記第１方向入力と前記第２方向入力の中１つの方向入力を遂行して前記選択入力を遂行すれば、前記第１方向入力または前記第２方向入力に対応する第１文字または第２文字から派生される派生文字が入力処理されることを特徴にする、請求項２８に記載の円形キーパッドの配列を利用した文字入力装置。
【請求項３０】
前記第１方向入力と前記第２方向入力の中１つの方向入力を遂行して前記選択入力を遂行して派生文字を入力処理した状態で、１度の選択入力を遂行すれば前記第１方向入力または前記第２方向入力に対応する第１文字または第２文字が入力処理されて、２度の選択入力を追加で遂行すれば前記第１文字または前記第２文字から派生される派生文字が再び入力処理されることを特徴にする、請求項２９に記載の円形キーパッドの配列を利用した文字入力装置。
【発明の詳細な説明】
【技術分野】
【０００１】
本発明は円形キーパッド（字版）の配列を利用した文字入力装置に関することとして、特に第１方向入力と第２方向入力または第１方向入力と第２方向入力と選択入力それぞれまたは連続入力によって割り当てされる文字を円形キーパッドの形態で配列して１つの入力部で同時にまたは順次に文字入力が遂行されるようにすることで、最小限の入力空間で文字を迅速で正確に入力することができる円形キーパッドの配列を利用した文字入力装置に関するものだ。
【背景技術】
【０００２】
近来ソフトウェアと半導体技術及び情報処理技術の発達で情報器機がますます小型化される成り行きであり、これに比例して各種情報器機における文字入力もその重要度がますます大きくなっている。
【０００３】
ところでこのような情報器機で各種文字や命令語入力に多い問題点が現われている。
【０００４】
例えば、ＰＣ（Ｐｅｒｓｏｎａｌ  Ｃｏｍｐｕｔｅｒ）またはノート・パソコン（Ｎｏｔｅ  Ｂｏｏｋ）に使われるキーボードと同じ入力装置は大きさを減らすのに限界があってこれら情報器機を小型化するのに難しさがある。
【０００５】
また、ＰＤＡ（Ｐｅｒｓｏｎａｌ  Ｄａｔａ  Ａｓｓｉｓｔａｎｔ）で使うタッチスクリーン方式や携帯電話で使うキーパッド方式は入力速度が遅くて過ち入力される場合が多くて不便な点がある。
【０００６】
前述したＰＣ、ノート・パソコン、ＰＤＡまたは携帯電話などの情報器機でもっと早い速度で文字、数字または記号などを入力するためには１度の入力動作に１個の音素（文字）が入力されるいわゆる１動作１音素入力の成り立つ必要がある。
【０００７】
このような１動作１音素入力がハングルを対象にする場合には２４個以上の文字を入力するためのボタンや入力キーが情報器機に配列される必要がある。
【０００８】
入力の対象になる言語が英語や日本語またはその他外国語の場合にはハングルの場合よりもっと多いボタンや入力キーを増設しなければならないかも知れない。
【０００９】
また、ポータブル端末機でますますデスクトップＰＣの性能を具現し出すによってポータブル端末機でも文字入力外にも各種命令キー（エンター、スペース、シフトキーなど）、記号などキーボードのすべての入力機能を遂行しなければならない状況に至っている。
【００１０】
しかし各種情報器機で使う従来の入力装置はそれぞれの入力キーに文字を割り当てして指でたたくとか押して入力する方式だ。
【００１１】
したがって、入力キーの配列する空間が相対的に狭い携帯電話のような個人用ポータブル情報端末機には指大きさの入力キーを２４個以上配列するのが難しい実情だ。これが今までキーボードが小型化されにくい理由だった。
【００１２】
特に、携帯電話の場合には普通１２個のボタンで２４字以上のハングル文字をすべて入力していることで１個のボタンに多数個の文字を重複配列するのが不可避だ。
【００１３】
したがって、１つの文字（音素）を入力するために２度、３度繰り返して入力する繰り返し入力現象がよく発生するようになるので、それほど入力時間が長くなって、誤打がたくさん発生するようになる問題点があった。
【００１４】
また、入力方法自体が非常に複雑になって慣れるのに長年の時間が必要となるなどの問題点があった。
【００１５】
このような問題を解消するために、ハングル文字入力の場合「天地人」のように所定の文字を組み合わせて入力する文字入力方式が提案された事がある。
【００１６】
しかし、前述した方法の場合、基本になる文字を組み合わせてのぞむ文字を生成するので文字を割り当てするための入力ボタンの数を減らすことができるという長所はあるが、のぞむ文字が組合されるまで入力ボタンを繰り返して押さなければならないのでそれほど入力時間の長くなる問題点があった。
【００１７】
特に、前述した入力装置の場合には指をモード転換機能が割り当てされた所定の入力キーに移動及び選択してモード転換を遂行した後に、該当の文字が割り当てされた入力キーにまた移動して前記文字を入力するとか、所定入力キーを何回繰り返して入力することで選択位置を変更してモード転換を遂行した後、再び該当の文字が割り当てされた入力キーを選択することでのぞむ文字を入力しなければならなかった。
【００１８】
したがって、のぞむ文字を入力するまで入力動作が多くて複雑のみならず、それほど入力速度も低下されて、入力正確性も落ちる問題点があった。
【発明の概要】
【発明が解決しようとする課題】
【００１９】
したがって、本発明の目的は、第１方向入力と第２方向入力及び第１方向入力と第２方向入力と選択入力がそれぞれまたは連続的に遂行される新しい入力部を用意することで、文字などの入力のために必要な空間を最小化しながらものぞむすべての文字を最小限の入力動作で迅速で正確に入力する同時に、デスクトップＰＣで使われるキーボードのすべての入力機能とマウスの入力機能をポータブル端末機でも早くて、便利に遂行することができる円形キーパッドの配列を利用した文字入力装置を提供するのにある。
【００２０】
特に一組の文字入力装置にハングルの子母または英語のアルファベットまたは中国語漢語併音子母または日本語平仮名などの外国語文字を円形キーパッド形態で配列することで第１方向入力、第２方向入力、選択入力またはこれらの組合入力を通じて最小限の入力動作でハングルはもちろん英語、日本語、中国語などの外国語を迅速で正確に入力することができる円形キーパッドの配列を利用した文字入力装置を提供するのにある。またこのような文字の配列方式はその他外国語文字にも適用することができるし、言語モード変換によって他の文字で変換した状態で迅速で正確に文字を入力することができる円形キーパッドの配列を利用した文字入力装置を提供するのにある。
【課題を解決するための手段】
【００２１】
前記目的を達成するための本発明は円形キーパッドの配列を利用した文字入力装置に関することで、本発明は、ベース上の所定位置に用意された入力半径内に定義される基準位置から前記基準位置を中心に放射状で離隔配置された複数の第１方向指示位置の中である１つを選択する第１方向入力と、入力部自体に放射状で離隔配置される複数の第２方向指示位置の中である１つを選択する第２方向入力がそれぞれ独立的に遂行可能に用意される、前記入力部；前記第１方向入力を感知する第１感知部；前記第２方向入力を感知する第２感知部；前記第１方向指示位置と対応される位置に第１文字が配列されて、前記第２方向指示位置と対応される位置に第２文字が配列されて、前記第１方向入力または前記第２方向入力が遂行された状態では前記第１方向入力に割り当てされた前記第１文字または前記第２方向入力に割り当てされた前記第２文字から派生される派生文字が表示される文字表示部；及び前記第１方向入力が感知された前記第１方向指示位置に割り当てされた前記第１文字、前記第２方向入力が感知された前記第２方向指示位置に割り当てされた前記第２文字、または前記第１方向入力と前記第２方向入力の連続遂行によって割り当てされた前記派生文字をメモリー部から抽出してディスプレーされるようにする制御部を含む。
【００２２】
一方、前記目的を達成するための本発明は、ベース上の所定位置に用意された入力半径内に定義される基準位置から前記基準位置を中心に放射状で離隔配置された複数の第１方向指示位置の中ある１つを選択する第１方向入力と、入力部自体に放射状で離隔配置される複数の第２方向指示位置らの中ある１つを選択する第２方向入力、及び前記基準位置に提供される中央入力キーを選択する選択入力がそれぞれ独立的に遂行可能に用意される、前記入力部；前記第１方向入力を感知する第１感知部；前記第２方向入力を感知する第２感知部；前記選択入力を感知する第３感知部；前記第１方向指示位置と対応される位置に第１文字が配列されて、前記第２方向指示位置と対応される位置に第２文字が配列されて、前記第１方向入力または前記第２方向入力が遂行されれば前記第１方向入力に割り当てされた前記第１文字または前記第２方向入力に割り当てされた前記第２文字から派生される派生文字が表示される文字表示部；及び前記第１方向入力が感知された前記第１方向指示位置に割り当てされた前記第１文字、前記第２方向入力が感知された前記第２方向指示位置に割り当てされた前記第２文字、または前記第１方向入力と第２方向入力の順次な遂行に割り当てされた前記派生文字をメモリー部から抽出してディスプレーされるようにする制御部を含み；前記制御部は前記第１文字または前記第２文字が選択された後前記選択入力が遂行される場合に前記第１文字または前記第２文字を入力処理して、前記第１文字または前記第２文字が選択された後表示される派生文字を選択する場合には前記派生文字を入力処理する。
【００２３】
一方、前記目的を達成するための本発明は、所定の入力半径内で基準位置から前記基準位置を中心に放射状に離隔配置された複数の第１方向指示位置中ある１つを選択する第１方向入力と、前記基準位置を中心に放射状で離隔配置される複数の第２方向指示位置の中である１つを選択する第２方向入力、及び選択キーを具備して前記選択キーを選択する選択入力がそれぞれ独立的に遂行可能に用意される入力部；前記第１方向入力を感知する第１感知部；前記第２方向入力を感知する第２感知部；前記選択入力を感知する第３感知部；前記第１方向指示位置と対応される位置に第１文字及び前記第１文字から派生される派生文字が配列されて、前記第２方向指示位置と対応される位置に第２文字及び前記第２文字から派生される派生文字が配列される文字表示部；及び前記第１方向入力が感知された前記第１方向指示位置に割り当てされた前記第１文字、前記第２方向入力が感知された前記第２方向指示位置に割り当てされた前記第２文字、または前記第１方向入力または前記第２方向入力が遂行された後前記選択入力が遂行されるによって前記第１文字または前記第２文字から派生される前記派生文字をメモリー部から抽出してディスプレーされるようにする制御部を含む。
【発明の効果】
【００２４】
前述した構造を持つ本発明による円形キーパッドの配列を利用した文字入力装置によれば、文字入力に必要な空間を最小化しながらも使用者の意図によって各文字を正確に入力することができる。
【００２５】
また、第１方向入力と第２方向入力または第１方向入力と第２方向入力と選択入力をそれぞれまたは連続遂行して最小限の入力動作ですべての文字を速かに入力することができる文字入力が可能だ。
【００２６】
すなわち、ポータブル端末機のような小型装置でも入力インターフェースがキーボードのように迅速な入力が可能になるので、ハングル子母２４字や英語アルファベット２６字だけではなく、日本語平仮名４６字、中国語漢語併音子母２５字などを便利で速かに入力することができる。
【００２７】
また、入力空間を最小化することができて製品を小型化、スリム化することができるのでＰＤＡ、ノート・パソコン、ポータブル移動通信端末機など各種ポータブル電子機器への適用が可能だ。
【図面の簡単な説明】
【００２８】
【図１】本発明による文字入力装置が装着されたポータブル移動通信端末機たちの斜視図である。
【図２】本発明による文字入力装置の一例を図示した断面斜視図である。
【図３】本発明による入力部で第１方向入力と第２方向入力の各入力動作を現わした断面図である。
【図４】本発明による入力部で第１方向入力と第２方向入力の各入力動作を現わした平面図である。
【図５】本発明による入力部及びガイド部を図示した平面図である。
【図６】本発明で第１方向入力及び第２方向入力と文字表示部の対応関係を図示した図面である。
【図７】本発明による文字表示部での文字のキーパッドの配列の一例を図示した図面である。
【図８】図７に図示された実施例で派生文字を入力する方式を説明するための図面である。
【図９】図７に図示されたキーパッドの配列の変形例を図示した図面である。
【図１０】文字表示部が入力部とベースに表示された例を図示した平面図である。
【図１１】本発明による文字表示部でキーパッドの配列の他の例を図示した図面である。
【図１２】図１１に図示された実施例で派生文字を入力する方式を説明するための図面である。
【図１３】本発明による文字表示部でキーパッドの配列の他の例を図示した図面である。
【図１４】図１３に図示された実施例で派生文字を入力する方式を説明するための図面である。
【図１５】本発明の文字表示部でキーパッドの配列の他の例を図示した図面である。
【図１６】本発明の文字表示部でキーパッドの配列の他の例を図示した図面である。
【図１７】本発明で選択入力とともに第１方向入力及び第２方向入力と文字表示部の対応関係を図示した図面である。
【図１８】文字表示部が入力部とベースに表示された例を図示した平面図である。
【図１９】本発明による文字表示部でのハングルキーパッドの配列の一例を図示した図面である。
【図２０】ハングルを入力する方式を説明するための図面である。
【図２１】ハングルを入力する方式を説明するための図面である。
【図２２】ハングルを入力する方式を説明するための図面である。
【図２３】ハングルを入力する方式を説明するための図面である。
【図２４】ハングルを入力する方式を説明するための図面である。
【図２５】ハングルを入力する方式を説明するための図面である。
【図２６】本発明による文字表示部で英文キーパッドの配列の一例を図示した図面である。
【図２７】英文を入力する方式を説明するための図面である。
【図２８】英文を入力する方式を説明するための図面である。
【図２９】英文を入力する方式を説明するための図面である。
【図３０】英文を入力する方式を説明するための図面である。
【図３１】英文を入力する方式を説明するための図面である。
【図３２】英文を入力する方式を説明するための図面である。
【発明を実施するための形態】
【００２９】
以下では、本発明による円形キーパッドの配列を利用した文字入力装置の構成及び実施例を各入力動作別に添付された図面を参照して詳細に説明する事にする。
【００３０】
文字入力装置の構成
本発明による文字入力装置（１０）は図１に図示されたところのようなポータブル移動通信端末機（１００）に装着されることができる。この時ポータブル移動通信端末機（１００）には本発明によった文字入力装置（１０）と、文字入力装置（１０）で入力される文字及びコンテンツを表示するためのディスプレー部（２０）を具備して、機能キー（３１）と上下移動キー（３３）が具備されることができる。
【００３１】
このようなポータブル移動通信端末機（１００）は本発明の具現例を現わすためのものであって、本発明による文字入力装置（１０）が図１に図示された端末機にだけ装着されることができるものではない。すなわち、本発明による文字入力装置（１０）は、文字（数字や記号含み）の記載、マウスの移動、キャラクターの作動、機能の選択などが必要な端末機にはすべて適用可能である。
【００３２】
前記文字入力装置（１０）の入力部（１１）はベース（４０）に用意された入力半径（４１）内に装着される。そして入力部（１１）は放射状複数の第１方向指示位置（Ｍ１、Ｍ２、．．．）中１つに移動する第１方向入力（Ｍ）と、前記入力部（１１）自体に放射状で離隔配置される複数の第２方向指示位置（Ｐ１、Ｐ２、．．．）中どれの１つを選択する第２方向入力（Ｐ）がそれぞれ独立的に遂行可能に用意される。また前記第１方向入力（Ｍ）及び第２方向入力（Ｐ）と選択キー（１９）を押すによった選択入力（Ｃ）（または中央入力と言う）がそれぞれ独立的に遂行可能に提供される。
【００３３】
この時第１方向入力及び第２方向入力のために移動した入力部（１１）は弾性部材（１３）（図３参照）によって元の位置に復帰されるように用意されることが望ましい。
【００３４】
このような入力部（１１）による第１方向入力（Ｍ）と第２方向入力（Ｐ）や選択入力（Ｃ）は図３に図示されたところのような第１感知部（１６）と第２感知部（１７）や第３感知部（１９ａ）によってそれぞれ感知されることができる。
【００３５】
そして第１感知部（１６）と第２感知部（１７）、第３感知部（１９ａ）によってそれぞれ第１方向入力と第２方向入力、選択入力が感知されれば、該当の入力に割り当てされた文字が制御部（未図示）によってメモリー部（未図示）から抽出されてディスプレー部（２０）に表示される。
【００３６】
この時制御部は第１方向入力と第２方向入力及び第１方向入力と第２方向入力と選択入力がそれぞれまたは連続的に遂行された場合をそれぞれ区分してその方向入力に割り当てされた文字を入力処理する。ここで、本発明では第１方向入力によって入力可能な第１方向指示位置（Ｍ１、Ｍ２、．．．）に割り当てされた文字を第１文字だと言って、第２方向入力によって入力可能な第２方向指示位置（Ｐ１、Ｐ２、．．．）に割り当てされた文字を第２文字だと言って、第１方向入力と第２方向入力またはこれらと選択入力の順次遂行に割り当てされた文字を派生文字と言う。
【００３７】
一方、本発明では、前記第１文字、第２文字及び派生文字が複数の第１方向指示位置及び第２方向指示位置と対応される関係を現わすために文字表示部（１８）を具備する。前記文字表示部（１８）はディスプレー部（２０）に表示されるとか、文字入力装置（１０）上に表示されることもできる。この時文字表示部（１８）がディスプレー部（２０）に表示される場合は、文字表示部（１８）に表示された文字の変更及び再配置が容易くて使用者の文字入力便宜性及び拡張性が優秀だという長所がある。一方、文字表示部（１８）が文字入力装置（１０）上に表示される場合は、文字表示部（１８）に表示された文字の変更及び再配置が容易くないので、文字入力装置（１０）で入力しようとする文字の個数が少ない時や、特定文字から拡張される文字らに規則性がある時に使われることができる。
【００３８】
または文字表示部（１８）が文字入力装置（１０）上に表示されるが、ディスプレー部（２０）にも表示されて、入力する文字が拡張されるとか変更されて文字表示部（１８）上の文字の変更及び再配置の必要な場合はディスプレー部（２０）に表示された文字表示部（１８）を参考するように用意されることもある。
【００３９】
次に、本発明による文字入力装置で文字を入力する具体的な構成及び実施例に対してみる事にする。
【００４０】
第１方向入力（Ｍ）
本明細書で第１方向入力（Ｍ）ということは、入力部（１１）が基準位置（Ｓ）から基準位置（Ｓ）を中心に放射状に離隔配置された複数の第１方向指示位置（Ｍ１、Ｍ２、．．．）らの中、どれの１つに移動されて各第１方向指示位置（Ｍ１、Ｍ２、．．．）に割り当てされた文字を入力することにする。
【００４１】
図２は図１に図示された本発明による入力部（１１）及びベース（４０）の結合断面図だ。
【００４２】
図面を参照すれば、ベース（４０）に用意された入力半径（４１）の一側には基準位置（Ｓ、図１参照）が用意されているし、基準位置（Ｓ）を中心に放射状で複数の第１方向指示位置（Ｍ１、Ｍ２、．．．）らが離隔配置されている。
【００４３】
そして、ベース（４０）には各第１方向指示位置（Ｍ１、Ｍ２、．．．）に対応して入力部（１１）の移動を感知する第１感知部（１６）が用意されている。
【００４４】
したがって、入力部（１１）が基準位置（Ｓ）から所定の第１方向指示位置（Ｍ１、Ｍ２、．．．）に向けて移動すれば、入力部（１１）の移動が感知された第１感知部（１６）の感知信号に基礎して制御部で該当の第１方向指示位置（Ｍ１、Ｍ２、．．．）に割り当てされた第１文字をメモリー部から抽出して入力する。
【００４５】
第１感知部（１６）は多様な種類に用意されることができるし、例えば、圧力センサー、光センサーまたは接触センサーに用意されることもでき、入力半径（４１）全体に用意されたタッチパッドまたはタッチスクリーンに用意されることもできて、トラックポインタ方式に用意されることもできる。
【００４６】
ここで、第１方向指示位置（Ｍ１、Ｍ２、．．．）は必要によって多様な数で用意されることもあるところ、図２に図示されたように、８個（Ｍ１〜Ｍ８）に用意されることもできて、４個に用意されることもでき、６個または１２個でも用意されることもできる。
【００４７】
第１方向入力（Ｍ）は多様な方法に遂行されることができるのに、例えば、入力部（１１）が基準位置（Ｓ）に位置した状態（図３の（ａ）参照）から所定の第１方向指示位置に向かってスライディング（または水平移動、図３の（ｂ）参照）になって遂行されることができる。
【００４８】
ここで、前記スライディングまたは水平移動と言うことはベース（４０）の底面に対する厳密な水平に限定されるのではない、基準位置（Ｓ）から第１方向指示位置（Ｍ１、Ｍ２、．．．）に向けた可能なすべての角度及び方向を含む。
【００４９】
そして前記入力部（１１）とベース（４０）の間には、第１方向入力が遂行された後に前記入力部（１１）を元の位置で復帰させるための弾性部材（１３）が用意されることができる。
【００５０】
一方、前記のように、具体化された入力部（１１）を用意する代りに指の移動を感知する感知部（例えば、タッチパッドやタッチスクリーン）を具備して第１方向入力（Ｍ）を遂行することもできる。
【００５１】
また、ベース（４０）には、図５に図示されたように入力部（１１）の移動をガイドするガイド部（１４）がもっと用意されることができる。
【００５２】
ガイド部（１４）は入力部（１１）が移動する時使用者が意図する正確な方向へ移動するようにすることで、第１方向入力（Ｍ）の時干渉が発生せず正確な入力が成り立つようにする。
【００５３】
ガイド部（１４）は多様な種類に用意されることができるし、例えば、ベース（４０）に基準位置（Ｓ）から各第１方向指示位置（Ｍ１、Ｍ２、．．．）に向けて所定形象の溝に形成された直線ガイドに用意されることができる。
【００５４】
または、図５に図示されたように、各第１方向指示位置（Ｍ１、Ｍ２、．．．）に対応するへこんだ溝に用意されることもできる。
【００５５】
この場合、入力部（１１）は前記ガイド部（１４）に対応する形象に用意されることで、図５の（ｂ）に図示されたように、第１方向入力（Ｍ）を遂行する時、使用者が入力部（１１）を不正確な方向に移動してもガイド部（１４）に付いて所定の第１方向指示位置（Ｍ１、Ｍ２、．．．）に移動するようにできる。
【００５６】
ここで、ガイド部（１４）は多様な材質に用意されることができるし、例えば、弾性材質に用意されることができる。
【００５７】
一方、第１方向入力（Ｍ）は入力部（１１）の移動距離の差または移動加圧の強さによって２段以上の多段入力が可能に用意されることができる。
【００５８】
入力部（１１）は多様な形象に用意されることができる。
【００５９】
例えば、図１に図示されたように、円形形象に用意されることもできて、多角形板形象に用意されることもでき、図５の（ａ）及び（ｂ）に図示されたように、各第１方向指示位置（Ｍ１、Ｍ２、．．．）方向に側面が突き出された形象に用意されることもある。
【００６０】
または、図５の（ｃ）に図示されたように、４個の第２方向指示位置（Ｐ１、Ｐ２、．．．）を持つ時には十字形に用意されることもできる。
【００６１】
この場合、入力部（１１）の上部面には各第２方向指示位置（Ｐ１、Ｐ２、．．．）に対応してボタン形象の突起部（１５）が形成されることができる。
【００６２】
第２方向入力（Ｐ）
本明細書で第２方向入力（Ｐ）ということは、入力部（１１）自体に放射状で離隔配置される複数の第２方向指示位置（Ｐ１、Ｐ２、．．．）らの中でどれの１つを選択することで該当の第２方向指示位置（Ｐ１、Ｐ２、．．．）に割り当てされた第２文字を入力することにする。
【００６３】
すなわち、第１方向入力（Ｍ）は入力部（１１）の外部に配置された第１方向指示位置（Ｍ１、Ｍ２、．．．）に向けて入力部（１１）全体が移動しながら遂行される一方、第２方向入力（Ｐ）は入力部（１１）自体に配置された第２方向指示位置（Ｐ１、Ｐ２、．．．）を選択することで、入力部（１１）全体の水平移動（またはスライディング）が遂行されない。
【００６４】
第２方向入力（Ｐ）は多様な方法に遂行されることができるところ、例えば、図３の（ｃ）に図示されたように、入力部（１１）が第２方向指示位置（Ｐ１、Ｐ２、．．．）らの中でどれの１つに向かって傾くことで遂行されることができる。
【００６５】
この場合、入力部（１１）とベース（４０）の下部には入力部（１１）を初期の水平状態から任意の放射方向で傾けることが可能に支持する支持部（１１ａ）をもっと含むことができる。
【００６６】
または、第２方向入力（Ｐ）は図１または図４に図示されたように、入力部（１１）に各第２方向指示位置（Ｐ１、Ｐ２、．．．）に対応して用意された押し部（１２）中どれの１つを選択することで遂行されることもできる。
【００６７】
ここで、押し部（１２）は入力部（１１）に各第２方向指示位置（Ｐ１、Ｐ２、．．．）らを独立的に選択することができるすべての形態（入力部（１１）自体の傾けを除き）を含む。
【００６８】
例えば、入力部（１１）に各第２方向指示位置（Ｐ１、Ｐ２、．．．）に対応してそれぞれ別途で用意された押しボダンや押しスイッチであるかもしれないし、入力部（１１）上段または内部に各第２方向指示位置（Ｐ１、Ｐ２、．．．）に対応して第２感知部（１７）だけが用意された押し位置かもしれない。
【００６９】
第２感知部（１７）は第２方向入力（Ｐ）が遂行される形態によって多様に用意されることもある。
【００７０】
例えば、第２方向入力（Ｐ）が入力部（１１）の傾けによって遂行される時には入力部（１１）の下部縁部に入力部（１１）の傾けによってベース（４０）に順次で接触する段差を用意して、前記段差またはベース（４０）に入力部（１１）とベース（４０）の接触を感知する接触センサーに用意されるとか入力部（１１）の傾けを感知する光センサーなどに用意されることができる。
【００７１】
または、第２方向入力（Ｐ）が入力部（１１）に用意された各押し部（１２）によって遂行される場合には各押し部（１２）の下部に用意された接触センサー、押しスイッチまたは圧力センサーなどに用意されることができる。
【００７２】
一方、第２方向入力（Ｐ）は２段以上の多段入力が可能に用意されることができる。
【００７３】
例えば、入力部（１１）の傾け程度または押し部（１２）の押し強さまたは押し距離の差によって多段入力をそれぞれ区分して入力することができる。
【００７４】
また、第１方向指示位置（Ｍ１、Ｍ２、．．．）及び第２方向指示位置（Ｐ１、Ｐ２、．．．）は多様な数に用意されることができるし、例えば、４方向から１２方向の中でどれの１つに用意されることができる。
【００７５】
ここで、第１方向指示位置（Ｍ１、Ｍ２、．．．）及び第２方向指示位置（Ｐ１、Ｐ２、．．．）は８個以下に用意されることが望ましいところ、これは人の指で操作することができる入力方向の数が８個を超える場合には各方向指示位置の間の間隔が狭くなって入力正確度が低下されることがあるためだ。
【００７６】
また、第１方向指示位置（Ｍ１、Ｍ２、．．．）と第２方向指示位置（Ｐ１、Ｐ２、．．．）はお互いに等しい数に用意されることもできて、お互いに異なる数に用意されることもできる。
【００７７】
一方、第１方向入力と第２方向入力を連続的に遂行して第１文字、第２文字または派生文字以外に他の文字、数字や記号を入力するようにすることもできる。また第１方向入力と第２方向入力の連続的な入力に対して特別な文字が割り当てされてない場合には、図４に図示されたように第１方向入力を遂行した状態で基準位置で復帰せず、すぐ第２方向入力を遂行することで一度の動作で２個以上の文字を入力することができる。
【００７８】
2011529597.tif 000003
【００７９】
また、以上のような第１方向入力と第２方向入力は図１、図２に図示された文字入力装置によって具現されることに限定されない。すなわち、放射状複数の位置に第１方向指示位置と第２方向指示位置が配列されて前記第１方向指示位置のそれぞれに対して第１方向入力を遂行することができるし第２方向指示位置のそれぞれに対して第２方向入力を遂行することだけできたら、文字入力装置の構成は特別に限定されない。
【００８０】
第１方向入力（Ｍ）と第２方向入力（Ｐ）を通じる文字入力の実施例
以下では、本発明による文字入力装置（１０）において、前述した第１方向入力（Ｍ）及び第２方向入力（Ｐ）を通じる文字入力の代表的な実施例らを説明する事にする。
【００８１】
＜文字表示部＞
先ず本発明による文字表示部に対して説明する。
【００８２】
前記文字表示部（１８）には第１方向入力（Ｍ）、第２方向入力（Ｐ）と第１方向入力及び第２方向入力を一緒に遂行する場合に入力されることができる文字が配列される。すなわち、図６の（ａ）に図示されたように、第１方向指示位置（Ｍ１、Ｍ２、．．．）と第２方向指示位置（Ｐ１、Ｐ２、．．．）が放射状それぞれ８個に用意される場合に、図６の（ｂ）に図示されたように、前記文字表示部（１８）には各指示位置方向別で２列に配列されて第２列には第１方向指示位置（Ｍ１、Ｍ２、．．．）に割り当てされた第１文字が表示されて、第１列には第２方向指示位置（Ｐ１、Ｐ２、．．．）に割り当てされた第２文字が表示される。または前記と反対に配列されることもできる。
【００８３】
2011529597.tif 000004
【００８４】
また「機能キー」と言うのは変換キー（Ｔ）、取り消しキー（Ｄｅｌ）、スペースキー（Ｓｐａｃｅ）、エンターキー（Ｅｎｔｅｒ）など特定言語の入力の時によく使われる機能に係わるキーを意味する。
【００８５】
このような文字表示部（１８）は、ディスプレー部（２０）に図７の（ａ）に図示されたように用意されることができる。または前記文字表示部は図１０に図示されたように、入力部（１１）とベース（４０）上に用意されることができる。例えば、図７の（ａ）、図１０、図１８及び図２６の文字表示部には日本語の平仮名、ハングル子母音、英文アルファベットを基礎にする例を図示している。
【００８６】
一方、前記文字表示部（１８）には前記第１文字、第２文字以外に派生文字も配列されることができる。この時派生文字に規則性がある場合には前記派生文字や前記派生文字を現わすことができる文字が文字表示部（１８）に表示されることができる。例えば、日本語では前提字に対する派生文字は図１０に図示されたように、「ｉ、ｕ、ｅ、ｏ」にだけ表示されても該当の前提字に対する派生文字を把握することができる。
【００８７】
または、派生文字はいつも文字表示部（１８）に表示されているのではなく、第１文字を入力するための第１方向入力や第２文字を入力するための第２方向入力が遂行された場合にだけ文字表示部（１８）に配列されるようにすることもできる。
【００８８】
例えば、前記で第１文字に前提字を割り当てして、第１文字の中で１時方向の「か」を入力するための第１方向入力が遂行される場合に前記入力された第１文字「か」で派生される派生文字である「き、く、け、こ」が文字表示部（１８）に現われる。この時前記派生文字は第１文字が表示されていた文字表示部（１８）の第２列に現われることもできて、図７の（ｂ）に図示されたように、第２文字が表示されてあった文字表示部（１８）の第１列に現われることもできる。
【００８９】
同時に、派生文字はその個数によって表示される位置が決まることができる。例えば、日本語で、前提字「か」に対する派生文字「き、く、け、こ」が４個である場合には基準位置を中心に上下左右方向に配置されることもできて、対角方向に配置されることもある。
【００９０】
そして前記派生文字は時計方向で「き、く、け、こ」手順に配列されることもできて、反時計方向に配列されることもでき、ランダムに配列されることもできる。
【００９１】
次では、以上のような第１方向入力（Ｍ）、第２方向入力（Ｐ）及び連続入力を通じて文字を入力する具体的な例に対して説明する。ここで本実施例では日本語の平仮名を基礎にして説明するが、ハングルと英語のアルファベット、中国語の併音などにも活用されることができることは当然だ。
【００９２】
＜日本語を例にした第１方向入力中心の文字入力＞
「第１方向入力中心の文字入力」と言うのは、第１方向入力で入力される第１文字に前提字が割り当てされて、第１方向入力を遂行した状態で、選択された第１文字から派生される派生文字の中でどれの１つの派生文字が位置される方向で第２方向入力を遂行して前記派生文字を入力することができる場合を意味する。
【００９３】
この時第２方向入力には独立字と機能キーが割り当てされて、第２方向入力のみを遂行することで前記独立字と機能キーを入力することができる。
【００９４】
より詳しく説明すれば、前記第１方向指示位置（Ｍ１、Ｍ２、．．．）には日本語平仮名の基本音の中「あ、か、さ、た、な、は、ま、ら」が前提字として第１文字で配列されて、前記第２方向指示位置（Ｐ１、Ｐ２、．．．）には日本語平仮名の基本音の中「や、ゆ、よ、わ、を、ん」が独立字として、そして選択キー（”／°）及び変換キー（Ｔ）が機能キーとして第２文字に配列される。
【００９５】
ここで選択キー（”／°）は現在入力された文字に対する濁音と半濁音可否を決めるのに使われる。すなわち、現在入力された文字が「は」の場合に選択キーに対する第２方向入力を遂行すれば、「は」は濁音である「ば」に変更されて、再び選択キーに対する第２方向入力を遂行すれば、「は」は半濁音である「ぱ」に変更される。
【００９６】
また前記変換キー（Ｔ）は平仮名と片仮名のモード変換や現在入力された文字の漢字変換に使われる。例えば、現在入力された文字が「か」である場合に変換キーに対する第２方向入力を遂行すれば、「か」はカタカナである「カ」に変更される。
【００９７】
一方、選択キーと変換キーをそれぞれ配列する代りに、選択キーを分化して濁音−選択キーと半濁音−選択キーを配列して、変換キーは別途外部に配置されている機能キー（３１）または上下移動キー（３３）や、または本入力装置を方向キーにして取り替えることもできる。
【００９８】
そして前記派生文字は、第１文字である「あ」に対しては「い、う、え、お」で、第１文字である「か」に対しては「き、く、け、こ」であり、第１文字である「さ」に対しては「し、す、せ、そ」で、第１文字である「た」に対しては「ち、つ、て、と」であり、第１文字である「な」に対しては「に、ぬ、ね、の」で、第１文字である「は」に対しては「ひ、ふ、へ、ほ」であり、第１文字である「ま」に対しては「み、む、め、も」で、第１文字である「ら」に対しては「り、る、れ、ろ」である。
【００９９】
以上のように配列される第１文字と第２文字が図７の（ａ）に図示された文字表示部（１８）に表示される。この時第１文字が文字表示部（１８）の第２列に配置されて、第２文字は文字表示部（１８）の第１列に配置される。
【０１００】
この時第１文字の中で１つを選択するために、図８に図示されたように、特定第１文字に対応する第１方向指示位置（Ｍ１、Ｍ２、．．．）に第１方向入力（Ｍ）を遂行する。例えば、第１文字の中で１時方向に配置された「か」に対して第１方向入力（Ｍ２）を遂行する。この時第１方向入力（Ｍ２）を遂行して（図４の（ｂ））、入力部（１１）を元の位置で復帰すれば前記「か」が入力処理される。
【０１０１】
ところで前記第１方向入力（Ｍ２）を遂行した状態、すなわち入力部（１１）が１時方向へ移動すれば、図７の（ｂ）に図示されたように、文字表示部（１８）には前記「か」に対する派生文字である「き、く、け、こ」が基準位置を中心に上下左右方向に配置される。この時「け」を入力するために６時方向に第２方向入力（Ｍ２Ｐ６、図８参照）を遂行すれば（図４の（ｃ））、「か」ではない「け」が入力処理される。
【０１０２】
ここで、図８での第２方向入力がＭ２Ｐ１、Ｍ２Ｐ３、Ｍ２Ｐ５、Ｍ２Ｐ７と同じく表示されたことは、前記第２方向入力は第２方向入力（Ｐ）が個別的に遂行されたのではなく、１時方向での第１方向入力（Ｍ）が遂行された状態で成り立ったことを現わすためだ。そして万が一で１２時方向に第１方向入力（Ｍ１）を遂行した状態で第２方向入力（Ｐ）を遂行すれば、この時の第２方向入力はＭ１Ｐ１、Ｍ１Ｐ３、Ｍ１Ｐ５、Ｍ１Ｐ７で現わされるだろう。
【０１０３】
また派生文字の個数が増えるとか減少される場合には、それによって図８と同じ第２方向入力の個数が調整されるだろう。例えば、派生文字の個数が８個に増えて、１２時方向に第１方向入力を遂行した状態で派生文字の入力をために第２方向入力を遂行したら、この時の第２方向入力はＭ１Ｐ１、Ｍ１Ｐ２、Ｍ１Ｐ３、Ｍ１Ｐ４、Ｍ１Ｐ５、Ｍ１Ｐ６、Ｍ１Ｐ７、Ｍ１Ｐ８と同じく現わされるだろう。
【０１０４】
そして１２時方向に第１方向入力をした状態で派生文字が文字表示部に配列された例が図７の（ｃ）に図示されていて、９時方向に第１方向入力をした状態で派生文字が文字表示部に配列された例が図７の（ｄ）に図示されている。
【０１０５】
以上のような方式で日本語の８個の前提字とそれによる派生文字を入力することができる。
【０１０６】
また独立字は第２文字として第２方向指示位置（Ｐ１、Ｐ２、．．．）に割り当てされて文字表示部（１８）の第１列に表示されている（図７の（ａ）参照）。したがって独立字を入力するためには、図６の（ａ）に図示されたように、該当の独立字が割り当てされた第２方向指示位置（Ｐ１、Ｐ２、．．．）に第２方向入力を遂行することで該当の独立字を入力することができる。
【０１０７】
この時独立字が第２文字として個別的に第２方向指示位置（Ｐ１、Ｐ２、．．．）に割り当てされているが、前記独立字も前提字と同じく派生形式で入力することもある。例えば、文字表示部（１８）が図９の（ａ）に図示されたように構成される場合に、１２時方向に第２方向入力を遂行して「や」を選択すれば、図９の（ｂ）に図示されたように、文字表示部（１８）には「や」以外の独立字（このような独立字は派生文字で分類することもできる）が配列されることができる。この時「や」を選択した状態で入力を終了すればそのまま「や」が入力処理されて、「や」を選択した状態で異なる独立字が割り当てされた位置に第１方向入力を遂行すればその独立字が入力処理される。
【０１０８】
このように独立字も派生形態で入力すれば第２方向入力には他の文字や機能キーを割り当てすることができるので、入力可能な文字の個数が増加されることができるし、多様な機能キーを活用して文字入力の效率性を高めることができる。すなわち、図９の（ａ）に図示されたように、濁音と半濁音で変換のための変換キー（”／゜）、入力された文字を漢字で変換する変換キー（漢）、文字入力装置をマウスで使うための変換キー（Ｍｏｕｓｅ）、文字入力装置を通じて数字を入力するための変換キー（Ｎｕｍ）、その外に取り消しまたは削除（Ｄｅｌ）、スペース（Ｓｐａｃｅ）、エンター（Ｅｎｔｅｒ）のための機能キーが配列されることがある。
【０１０９】
この時例えば数字を入力するための変換キー（Ｎｕｍ）を選択すれば、文字表示部には数字、四則演算記号、最初の文字表示部に復帰するための変更キーなどが配列されることができる。
【０１１０】
一方、図１０に図示されたように、文字表示部（１８）が別途に用意されることではなく、入力部（１１）とベース（４０）上に記載する場合も前記と等しい方式で文字を入力することができる。すなわち、ベース（４０）上の第１方向指示位置（Ｍ１、Ｍ２、．．．）には第１文字が配列されて、入力部（１１）上の第２方向指示位置（Ｐ１、Ｐ２、．．．）には第２文字が配列される。
【０１１１】
このような文字表示部（１８）では第１方向入力（Ｍ）を遂行した状態で派生文字を表示することができる別途の構成を用意することもできるが、前記派生文字に一定する規則がある場合には第１文字及び第２文字と併記して活用することができる。すなわち、図１０に図示されたように、日本語の前提字は「ｉ、ｕ、ｅ、ｏ」と対応して派生文字を生成することができるので、第２文字に前記「ｉ、ｕ、ｅ、ｏ」が併記されて派生文字の代わりをして表示することもできる。
【０１１２】
＜日本語を例にした第２方向入力中心の文字入力＞
「第２方向入力中心の文字入力」と言うのは、第２方向入力（Ｐ）に入力される第２文字に前提字が割り当てされて、第２方向入力を遂行した状態で、選択された第２文字から派生される派生文字が文字表示部（１８）に配列されて該当の派生文字が位置される方向に第１方向入力を遂行して派生文字を入力する場合を意味する。この時第１方向入力（Ｐ）には独立字と機能キーが割り当てされて、第１方向入力のみを遂行することで前記独立字と機能キーを入力することができる。
【０１１３】
より詳しく説明すれば、前記第２方向指示位置（Ｐ１、Ｐ２、．．．）には日本語平仮名の基本音の中「あ、か、さ、た、な、は、ま、ら」が前提字として第２文字で配列されて、前記第１方向指示位置（Ｍ１、Ｍ２、．．．）には日本語平仮名の基本音の中「や、ゆ、よ、わ、を、ん」が独立字として、そして選択キー（”／゜）及び変換キー（Ｔ）が機能キーとして第１文字に配列される。
【０１１４】
ここで選択キーと変換キーは「第１方向入力中心の文字入力」の場合と等しく使われることができる。
【０１１５】
そして前記派生文字は、第２文字である「あ」に対しては「い、う、え、お」で、第２文字である「か」に対しは「き、く、け、こ」で、第２文字である「さ」に対しては「し、す、せ、そ」で、第２文字である「た」に対しては「ち、つ、て、と」で、第２文字である「な」に対しては「に、ぬ、ね、の」で、第２文字である「は」に対しては「ひ、ふ、へ、ほ」で、第２文字である「ま」に対しては「み、む、め、も」で、第２文字である「ら」に対しては「り、る、れ、ろ」である。
【０１１６】
以上のように配列される第１文字と第２文字が図１１の（ａ）に図示された文字表示部（１８）に表示される。この時第２文字は文字表示部（１８）の第１列に配置されて、第１文字は文字表示部（１８）の第２列に配置される。
【０１１７】
この状態で図１２に図示されたように、第２文字の中「さ」に対して第２方向入力を遂行する。この時第２方向入力を遂行して入力部（１１）を元の位置で復帰すれば前記「さ」が入力処理される。
【０１１８】
ところで前記第２方向入力を遂行した状態、すなわち入力部（１１）が３時方向に移動した場合には図１１の（ｂ）に図示されたように、文字表示部（１８）に前記「さ」に対する派生文字である「し、す、せ、そ」が基準位置を中心に上下左右方向に配置される。この時「そ」を入力するため９時方向に第１方向入力（Ｐ３Ｍ７）を遂行すれば（図１２参照）  、「さ」ではない「そ」が入力処理される。ここでも図１２での第１方向入力がＰ３Ｍ１、Ｐ３Ｍ３、Ｐ３Ｍ５、Ｐ３Ｍ７と表示されたことは、前記第１方向入力は第１方向入力が個別的に遂行されたのではなく、３時方向での第２方向入力（Ｐ）が遂行された状態で成り立ったことを現わすためだ。
【０１１９】
以上のような方式で日本語の８個の前提字とそれによる派生文字を入力することができる。
【０１２０】
この以外の他の変形形態らは前記で言及した「第１方向入力中心の文字入力」と等しく適用されることができる。
【０１２１】
＜その他配列の文字入力＞
「その他配列の文字入力」と言うのは、第１方向指示位置８個所と第２方向指示位置８個所の中で８個所を選択してその選択された８個所に前提字を割り当てして、残り８個所には独立字と機能キーを割り当てして入力する場合を意味する。この時前提字に対する派生文字の入力は前述した実施例の場合と等しい。
【０１２２】
前記で選択された８個所は第１方向指示位置で６個所、第２方向指示位置で２個所になることができるし、第１方向指示位置で５個所、第２方向指示位置で３個所でなることができるし、第１方向指示位置で４個所、第２方向指示位置で４ヶ所になることもある。
【０１２３】
ここで第１方向指示位置４個所（Ｍ１、Ｍ３、Ｍ５、Ｍ７）と第２方向指示位置４個所（Ｐ１、Ｐ３、Ｐ５、Ｐ７）を前提字に割り当てする場合には、文字表示部（１８）が図１３のように表示されることができる。すなわち、前提字である「あ、か、さ、た」は第１文字として文字表示部（１８）の第２列に配置されて、前提字である「な、は、ま、ら」は第２文字として文字表示部（１８）の第１列に配置されることができる。そして前記前提字を除いた残り第１文字と第２文字では独立字と機能キーが割り当てされて第１方向指示位置の残り４個所（Ｍ２、Ｍ４、Ｍ６、Ｍ８）と第２方向指示位置の残り４個所（Ｐ２、Ｐ４、Ｐ６、Ｐ８）に配置されることができる。
【０１２４】
第１文字に対する派生文字の入力は、図１４の（ａ）に図示されたように、第１文字が位置した第１方向指示位置（Ｍ１、Ｍ３、Ｍ５、Ｍ７）へ第１方向入力（Ｍ）を遂行した状態で派生文字が配置された第２方向指示位置（Ｐ１、Ｐ３、Ｐ５、Ｐ７）へ第２方向入力（Ｐ）を遂行して入力する。この時第１方向入力を遂行した状態で入力を終了しなければ文字表示部（１８）には派生文字が配列されるので、前記配列された派生文字の中で意図する派生文字を入力することができる第２方向指示位置を容易く把握して第２方向入力（Ｍ１Ｐ１、Ｍ１Ｐ３、Ｍ１Ｐ５、Ｍ１Ｐ７、…）を遂行することができる。
【０１２５】
一方、第２文字に対する派生文字の入力は、図１４の（ｂ）に図示されたように、第２文字が位置した第２方向指示位置（Ｐ１、Ｐ３、Ｐ５、Ｐ７））へ第２方向入力（Ｐ）を遂行した状態で派生文字が配置された第１方向指示位置（Ｍ１、Ｍ３、Ｍ５、Ｍ７）へ第１方向入力（Ｍ）を遂行して入力する。この時第２方向入力を遂行した状態で入力を終了しなければ文字表示部（１８）には派生文字が配列されるので、前記配列された派生文字の中で意図する派生文字を入力することができる第１方向指示位置を容易く把握することができる。
【０１２６】
ここでも、図１４の（ａ）での第２方向入力がＭ１Ｐ１、Ｍ１Ｐ３、Ｍ１Ｐ５、Ｍ１Ｐ７、…に表示されて、図１４の（ｂ）での第１方向入力がＰ１Ｍ１、Ｐ１Ｍ３、Ｐ１Ｍ５、Ｐ１Ｍ７、…に表示されたのは、前記各方向入力はその方向入力が個別的に遂行されたのではなく、異なる方向入力が遂行された状態で成り立ったことを現わすためである。
【０１２７】
一方、独立字と機能キーに対する入力は前の例らと等しく各独立字と機能キーが割り当てされた第１文字や第２文字に対して第１方向入力（Ｍ）や第２方向入力（Ｐ）を個別的に遂行して入力することができる。この場合にも独立字に対する派生形態の変換は当然適用可能だ。
【０１２８】
一方、第１方向指示位置を８個所で用意して第２方向指示位置を４個所で用意して各指示位置で４個の派生文字を入力するように構成することもある。この場合各指示位置には総１２個の前提字がそれぞれ割り当てされて、各前提字に対して派生文字は４個ずつ入力可能なので、総６０個の文字を入力することができる。
【０１２９】
または、第１方向指示位置を７個所で用意して第２方向指示位置を４個所で用意して各指示位置で４個の派生文字を入力するように構成することもある。この場合各指示位置には総１１個の前提字がそれぞれ割り当てされて、各前提字に対して派生文字は４個ずつ入力可能なので、総５５個の文字を入力することができる。
【０１３０】
以上のように第１方向指示位置の個数と第２方向指示位置の個数を入力する前提字の個数によって設定して各前提字に従って派生文字を割り当てすることが可能だ。この時前提字別で派生文字が異なることもできるので、各前提字に割り当てされた派生文字の個数は等しくないこともある。
【０１３１】
そして前記で説明した第１方向指示位置の個数と第２方向指示位置の個数はお互いに反対に設定されることができることは当然だ。
【０１３２】
次に、文字入力装置に選択入力が可能になるように構成して、選択入力を活用したキーパッドの配列とそれを通じる文字入力に対して説明する。
【０１３３】
選択入力（Ｃ）
本明細書で選択入力（Ｃ）というのは、第１方向入力（Ｍ）または第２方向入力（Ｐ）とは別途に選択キーを選択して入力することを意味する。この時選択キーは入力部（１１）の中央に用意された中央入力キー（１９）であることもあり、第１方向指示位置と第２方向指示位置の外郭、すなわちベース（４０）に用意された別途キー（例えば、図１と同じ機能キー（３１）または上下移動キー（３３））であるかも知れない。そして前記選択入力は前記中央入力キーまたは別途キーを選択するとか、入力部（１１）自体が上下で昇降しながら遂行されることもできる。
【０１３４】
選択入力（Ｃ）は例えば、図１の（ｂ）及び図２の（ｂ）に図示されたように、入力部（１１）の中央に選択可能な中央入力キー（１９）と、中央入力キー（１９）の選択を感知する第３感知部（１９ａ）によって遂行されることができる。
【０１３５】
または、選択入力（Ｃ）は入力部（１１）全体がベース（４０）に対して上下で移動可能に用意されて、前記入力部（１１）またはベース（４０）中どれの１つで入力部（１１）の上下移動を感知することもできる。
【０１３６】
ここで、前述した２つの形態の選択入力（Ｃ）はどれの１つだけ用意されることもあるが、同時に用意されることもできることは勿論だ。
【０１３７】
一方、選択入力（Ｃ）は中央入力キー（１９）の押し距離または押し強さや、入力部（１１）自体の昇降距離によって２段以上の多段入力が可能さは勿論だ。
【０１３８】
一方、中央入力キー（１９）への接近または接触を感知することで中央入力キー（１９）に重複割り当てされた他の文字を入力するタッチ入力が遂行可能に用意することができる。
【０１３９】
第１方向入力（Ｍ）と第２方向入力（Ｐ）及び選択入力（Ｃ）を通じる文字入力の例
選択入力（Ｃ）を第１方向入力（Ｍ）及び第２方向入力（Ｐ）と一緒に使用して文字表示部で文字を入力する具体的な実施例に対して説明する。
【０１４０】
＜文字表示部＞
先ず、本発明による文字表示部に対して説明する。
【０１４１】
前記文字表示部（１８）には第１方向入力（Ｍ）、第２方向入力（Ｐ）、第１方向入力または第２方向入力と選択入力（Ｃ）を一緒に遂行する場合に入力されることができる文字が配列される。すなわち、図６の（ａ）に図示されたように、第１方向指示位置（Ｍ１、Ｍ２、．．．）と第２方向指示位置（Ｐ１、Ｐ２、．．．）が放射状それぞれ８個に用意される場合に、図６の（ｂ）に図示されたように、前記文字表示部（１８）には各指示位置方向別で２列で配列されて第１列には第１方向指示位置（Ｍ１、Ｍ２、．．．）に割り当てされた第１文字と前記第１文字から派生される派生文字が表示されて、第２列には第２方向指示位置（Ｐ１、Ｐ２、．．．）に割り当てされた第２文字と前記第２文字から派生される派生文字が表示される。または前記と反対に配列されることもできる。
【０１４２】
2011529597.tif 000005
【０１４３】
また「機能キー」と言うのはスペースキー（ＳＰ：Ｓｐａｃｅ）、エンターキー（ＥＮ：Ｅｎｔｅｒ），削除キー（ＢＳ：ＢａｃｋＳｐａｃｅ）など特定言語の入力の時によく使われる機能に係わるキーを意味する。
【０１４４】
このような文字表示部（１８）は、ディスプレー部（２０）に図１９に図示されたように用意されることができる。または前記文字表示部は図１８に図示されたように、入力部（１１）とベース（４０）上に用意されることができる。ここで図１８及び図１９の文字表示部にはハングルの子音と母音を基礎にした例を図示している。
【０１４５】
一方、前記文字表示部（１８）には前記第１文字、第２文字以外に派生文字も配列されることができる。このような派生文字はいつも文字表示部（１８）に表示されていることではなく、第１文字を入力するための第１方向入力や第２文字を入力するための第２方向入力が遂行された場合にのみ文字表示部（１８）に配列されるようにすることもできる。
【０１４６】
または図１８及び図１９に図示されたように、前提字である第１文字及び第２文字とそれから派生される派生文字が同時に文字表示部に配列されるようにすることもできる。
【０１４７】
また文字表示部には前提字から派生される派生文字が１つ以上配列されることができる。この時前提字に対する派生文字が２個以上配列される場合、派生文字の中で意図する派生文字は選択入力（Ｃ）を連続で遂行して入力処理することもできる。または本実施例でのように派生文字を選択入力（Ｃ）で入力して、選択入力を連続で遂行すれば前提字と派生文字が相互にディスプレー部に表示されるようにする場合には、２個以上の派生文字を入力するために別途キー（未図示）を使用することもできる。
【０１４８】
次では、以上のような第１方向入力（Ｍ）、第２方向入力（Ｐ）及び選択入力（Ｃ）を通じて文字を入力する具体的な例に対して説明する。ここで本実施例ではハングルの子音と母音、及び英語のアルファベットを基礎にして説明するが、日本語の平仮名や中国語の併音子母などにも活用されることができることは当然だ。
【０１４９】
＜日本語入力に対する実施例＞
図１５の（ａ）に図示されたように、文字表示部は図１７の（ｂ）に図示された文字表示部と類似に２列に配置されるが、中央位置に選択入力（Ｃ）が遂行されたのか可否を現わすことができる円形の間が用意される。この時本発明による文字入力装置が装着された端末機で別途キー（未図示）に対する入力が選択入力（Ｃ）と等しい役割をするようにする場合には、前記別途キーに対する入力の時にも前記円形の間に表示されることができる。
【０１５０】
そして日本語の平仮名を例であげる場合、第１列には第２方向指示位置（Ｐ１、Ｐ２、．．．）に割り当てされた第２文字で日本語の平仮名の前提字が配列されて、第２列には第１方向指示位置（Ｍ１、Ｍ２、．．．）に割り当てされた第１文字で独立字と機能キーが配列されることができる。
【０１５１】
また中央の間は選択入力（Ｃ）に対応されることで、選択入力（Ｃ）を遂行すれば、中央の間に選択入力遂行可否が表示されながら文字表示部が図１５の（ｂ）に図示されたように変形される。すなわち、濁音と半濁音で変換のための変換キー（”／°）、片仮名への変換のための変換キー（「カ」）、エンターキー（Ｅｎｔｅｒ）、ファンクションキー（Ｆ−ｋｅｙ）、漢字への変換キー（漢）、記号入力のための変換キー（Ｓｙｍ）、文字入力装置をマウスで使用するためのマウス変換キー（Ｍｏｕｓｅ）、数字を入力するための数字変換キー（Ｎｕｍ）などが文字表示部に表示される。この時表示される文字表示部は選択入力が終了しても（すなわち、中央入力キー（１９）で指を離しても）そのまま維持される。したがって使用者は図１５の（ｂ）のように表示された文字表示部で望む変換キーを選択した後、望む機能、変換または入力を遂行することができる。
【０１５２】
一方図１５の（ｂ）に表示された文字表示部から再び図１５の（ａ）に図示された文字表示部へ復帰するためには再び選択入力（Ｃ）を遂行する。
【０１５３】
また図１５の（ａ）に表示された文字表示部での文字入力は前に説明された実施例らとほぼ等しい。ただし、本実施例では前提字を選択した状態で一応入力を終了すれば（すなわち、入力部（１１）で指を離せば）、その前提字がすぐ入力されるのではなく前記前提字に対する派生文字が文字表示部に表示された状態で待機する。この時選択入力（Ｃ）を遂行すればすぐ前記前提字が入力処理されて、万が一派生文字を選択しようとすれば派生文字を入力するための方向入力を遂行することで前記派生文字を入力処理することができる。これに対しては後にまた詳しく説明されるだろう。
【０１５４】
または前提字を入力するために選択入力の代りに該当の前提字に対する方向入力を再び遂行して入力されるようにすることもできる。
【０１５５】
一方、図１６の（ａ）には第２列に独立字を代表する文字で「や」が第１文字で表示されていて、第２例の他の部分には漢字変換キー（漢）、マウス変換キー（Ｍｏｕｓｅ）、スペースキー（Ｓｐａｃｅ）、エンターキー（Ｅｎｔｅｒ）、バックスペースキー（ＢＳ）、数字変換キー（Ｎｕｍ）、濁音／半濁音変換キー（”／°）が配列される。このような機能キーは機能の実行、文字の変換または追加的なデータの入力に使用されることで、前記例に限定されることではなくて、特定言語の入力に必要な機能キーに再構成することもできる。
【０１５６】
この時第２列の「や」を第１方向入力（Ｍ）を通じて選択すれば、図１６の（ａ）に図示された文字表示部は図１６の（ｂ）のように変更されて、前記「や」以外の独立字が第１列に配置される。この状態で選択入力（Ｃ）を遂行すれば図１６の（ｂ）での中央の間に選択入力の遂行可否が表示されながら「や」が入力処理される。万が一「ん」を入力しようとすれば、図１６の（ｂ）で３時方向に第２方向入力（Ｐ）を遂行して「ん」を選択して前記「ん」を入力処理する。
【０１５７】
また第１列に配列された前提字に対して入力するためには、特定前提字に対して第２方向入力（Ｐ）を遂行する。それでは文字表示部には前記前提字に対する派生文字が配列される。この時選択入力（Ｃ）をすぐ遂行すれば前記前提字が入力処理されて、派生文字を入力しようとすれば、派生文字を方向入力で選択する。
【０１５８】
例えば、図１６の（ａ）で第１例の「あ」を第２方向入力（Ｐ）へ選択すれば、文字表示部は図１６の（ｃ）のように変更される。すなわち、文字表示部の第２列に「あ」の派生文字である「い、う、え、お」が配列される。この時すぐ選択入力（Ｃ）を遂行すれば中央の間に選択入力の遂行可否が表示されながら「あ」が入力処理される。
【０１５９】
ところで万が一「え」を入力しようとすれば、６時方向に第１方向入力（Ｍ）を遂行して「え」を選択して「え」を入力処理する。
【０１６０】
一方、図示されなかったが、特定前提字を選択すれば、文字表示部には前記特定前提字とこれに対応する派生文字が同一の列に一緒に表示されることもできる。すなわち、派生文字が４個なら、前記４個の派生文字と前提字が同じ列に配列され前記列に対する方向入力を通じて４個の派生文字と前提字の中に１つを選択することもある。
【０１６１】
以上のように本実施例では選択入力（Ｃ）によって文字表示部の転換と選択された文字の決定が遂行される。したがって第１方向入力（Ｍ）と第２方向入力（Ｐ）を連続遂行して文字をすぐ入力する場合よりは、選択入力（Ｃ）による場合が文字入力に所要される動作数は増加するが、本発明による文字入力装置に慣れない人や瞬発力が劣る大人や子供たちにはこの方式が一層便利に使われることができる。
【０１６２】
そして前記で言及したように、別途キーが用意される場合には、中央入力キー代りに、または中央入力キーとともに文字表示部の転換及び選択された文字の決定をするのに前記別途キーが使用されることもできる。
【０１６３】
2011529597.tif 000006
【０１６４】
そして文字表示部には中央位置に選択入力（Ｃ）が遂行されたのか可否を現わすことができる円形の間が用意される。この時本発明による文字入力装置が装着された端末機で別途キーに対する入力で選択入力（Ｃ）が遂行される場合には、前記別途キーに対する入力の時にも前記円形の間にその入力可否が表示されることができる。
【０１６５】
以上のような文字表示部で第１列に配列された第１文字を入力しようとすれば、前記第１文字が位置した第１方向指示位置（Ｍ１、Ｍ２、．．．）へ第１方向入力（Ｍ）を遂行する。そうすればディスプレー部（２０）に該当の第１文字が入力処理される。
【０１６６】
そして前記第１文字から派生される派生文字を入力しようとすれば、前記第１文字が位置した第１方向指示位置（Ｍ１、Ｍ２、．．．）へ第１方向入力（Ｍ）を遂行して、選択入力（Ｃ）を遂行する。すなわち、第１方向入力（Ｍ）と選択入力（Ｃ）を順次で遂行することで文字表示部（１８）上で第１文字と並んで配列された派生文字を入力することができる。
【０１６７】
一方、文字表示部で第２列に配列された第２文字を入力しようとすれば、前記第２文字が位置した第２方向指示位置（Ｐ１、Ｐ２、．．．）へ第２方向入力（Ｐ）を遂行する。そうすればディスプレー部（２０）に該当の第２文字が入力処理される。
【０１６８】
また前記第２文字から派生される派生文字を入力する場合には、該当第２文字を入力するための制２方向入力（Ｐ）を遂行して、選択入力（Ｃ）を遂行する。
【０１６９】
同時に、前記第１文字または第２文字に対する派生文字を選択した状態で前記派生文字を第１文字または第２文字に変更するためには、再び選択入力（Ｃ）を遂行する。そうすれば派生文字に変更される以前の第１文字または第２文字で前記派生文字が変更される。またこの状態で選択入力（Ｃ）を再び遂行すれば、変更され現在入力されている第１文字または第２文字は、また第１文字または第２文字の派生文字に変更される。
【０１７０】
2011529597.tif 000007
【０１７１】
このように配列される文字表示部を通じてハングルを入力する場合を図２０から図２４に図示された例で説明する。ここで図２０から図２４には文字表示部（１８）の下段に現在文字表示部で入力処理される文字が表示されるディスプレー部（２０）が図示されているが、前記ディスプレー部（２０）は文字が入力処理される状態を説明するためのことであるだけ、実際には図１に図示されたところのようなディスプレー部（２０）が使用されることで理解するのが望ましい。
【０１７２】
2011529597.tif 000008
【０１７３】
＜英語のアルファベット入力に対する実施例＞
英語のアルファベットを入力するための文字表示部（１８）は図２６に図示されたように用意されることができる。この時第１方向入力（Ｍ）に入力されることができる第１方向指示位置（Ｍ１、Ｍ２、．．．）には「Ａ、Ｂ、Ｅ、Ｉ、Ｇ、Ｏ」と機能キーであるＳＰ（Ｓｐａｃｅ）とＥＮ（Ｅｎｔｅｒ）が第１文字として文字表示部の第１列に配列されることができる。この時「Ａ、Ｂ、Ｅ、Ｉ、Ｇ、Ｏ」は前提字として、各前提字が配列された第１列の各間には記前提字から派生される派生文字が同時に配列される。すなわち、第１文字に配列された前提字に対する派生文字である「Ｈ、Ｄ、Ｆ、Ｌ、Ｑ、Ｕ」が「Ａ、Ｈ」、「Ｂ、Ｄ」、「Ｅ、Ｆ」、「Ｉ、Ｌ」、「Ｇ、Ｑ」、「Ｏ、Ｕ」のように第１列に配列される。
【０１７４】
一方、第２方向入力（Ｐ）に入力されることができる第２方向指示位置（Ｐ１、Ｐ２、．．．）には「Ｍ、Ｐ、Ｔ、Ｖ、Ｃ、Ｊ、Ｘ」と機能キーであるＢＳ（ＢａｃｋＳｐａｃｅ）が第２文字として文字表示部（１８）の第２列に配列されることができる。この時「Ｍ、Ｐ、Ｔ、Ｖ、Ｃ、Ｊ、Ｘ」は前提字として、各前提字が配列された第２列の各間には前記前提字から派生される派生文字が同時に配列される。すなわち、第２文字に配列された前提字に対する派生文字である「Ｎ、Ｒ、Ｙ、Ｗ、Ｓ、Ｋ、Ｚ」が「Ｍ、Ｎ」、「Ｐ、Ｒ」、「Ｔ、Ｙ」「Ｖ、Ｗ」、「Ｃ、Ｓ」、「Ｊ、Ｋ」、「Ｘ、Ｚ」のように第２列に配列される。
【０１７５】
この時第１文字と第２文字に配列された前提字と、第１文字と第２文字から派生される派生文字はアルファベットの模様によって２文字ずつ組を作ったのみならず、前記前提字と派生文字が前記のように限定されるのではない。すなわち、アルファベット２６字を発音によって組を作ることもできて、任意的に組を作ることも可能だ。
【０１７６】
一方、アルファベット２６字を２個ずつ組を作らず３個または４個ずつ組を作って、その中代表することができる文字を前提字に置き、残りを派生文字にすることもできる。
【０１７７】
そして文字表示部（１８）には中央位置に選択入力（Ｃ）が遂行されたのか可否を現わすことができる円形の間が用意される。この時本発明による文字入力装置が装着された端末機で別途キーに対する入力で選択入力（Ｃ）が遂行される場合には、前記別途キーに対する入力の時にも前記円形の間にその入力可否が表示されることができる。
【０１７８】
前記のような文字表示部に対する文字の入力はハングルの場合と等しいので詳細な説明は省略する。
【０１７９】
このように配列される文字表示部（１８）を通じて英単語を入力する場合を図２７から図３０に図示された例で説明する。すなわち、英単語である「ＡＰＰＬＥ」を入力する場合には、先ず「Ａ」を入力するために第１列で１２時方向に配列された第１文字を１２時方向への第１方向入力（Ｍ）へ入力処理する（図２７の（１））。続いて「Ｐ」を入力するために第２列の１時方向に配列された第２文字を１時方向への第２方向入力（Ｐ）を遂行する（図２７の（１））。そして次の文字である「Ｐ」を入力するためにまた第２列の１時方向に配列された第２文字を１時方向への第２方向入力（Ｐ）へ入力処理する（図２９の（１））。
【０１８０】
次に「Ｌ」を入力するために先に第１列の５時方向に配列された第１文字を５時方向への第１方向入力（Ｍ）を遂行する（図３０の（１））。この状態で選択入力（Ｃ）を遂行すれば「Ｉ」に対する派生文字である「Ｌ」を入力処理することができる（図３０の（２））。
【０１８１】
そして「Ｅ」を入力するために第１列の３時方向に配列された第１文字を３時方向への第１方向入力（Ｍ）へ入力処理する（図３１の（１））。これで、「ＡＰＰＬＥ」という単語が完成される。
【０１８２】
一方、前記で、入力しようとする文字が「Ｌ」ではなく「Ｉ」とする場合、５時方向に第１方向入力（Ｍ）を遂行した状態で選択入力（Ｃ）を遂行して「Ｌ」が入力された状態なので、これを改めるために第２列に配列された「ＢＳ」を７時方向への第２方向入力（Ｐ）へ選択することができる（図３２の（ａ））。このようになれば、入力処理された「Ｌ」は削除されるので再び「Ｉ」を入力するための方向入力を遂行して「Ｉ」を入力処理することができる（図３２の（ｂ））。
【０１８３】
または現在「Ｌ」が入力処理された状態で選択入力（Ｃ）をまた遂行すれば、入力処理された「Ｌ」は「Ｉ」にすぐ変換されるので手軽く誤った入力を修正することができる（図３２の（ｃ））。参考にこの状態でまた選択入力を遂行すれば現在入力処理された「Ｉ」は「Ｌ」で変換される。
【０１８４】
以上のような日本語やハングルや英文のキーパッドの配列は多様な形態に変更されることができる。例えば、ハングルの場合に、第１列に子音を配置して、第２列に母音を配置したことで説明したが、第１列に母音を配置して、第２列に子音を配置することができ、第１列と第２列に子音と母音を便利どおり配置することもできる。
【０１８５】
また選択入力をモード変更用で活用して選択入力を通じて図１９のハングル文字表示部を図２６の英文文字表示部に変更して該当する文字を入力することもできて、ハングルや英文以外に日本語や中国語のための文字表示部に変更して使うこともできる。同時に、数字や記号を入力するための文字表示部に変更されることもできるだけではなく、マウスモードに変更して方向移動、左右側ボタン、スクロールボタンを文字表示部に表示して本発明による文字入力装置がマウスで使われるようにすることもできる。
【０１８６】
また本実施例では文字表示部が一組に用意されたことが例示されているが、入力しようとする文字などが多い場合には、２個の入力部が用意されて各入力部に対して文字表示部が用意されることもできる。
【産業上の利用可能性】
【０１８７】
以上で本発明を例示した図面を参照にして説明したが、本明細書に開示された実施例と図面によって本発明が限定されるのではなくて、本発明の技術思想の範囲内で通常の技術者によって多様な変形が成り立つことができる。
【図１（ａ）】
2011529597.tif 000012
【図１（ｂ）】
2011529597.tif 000013
【図２（ａ）】
2011529597.tif 000014
【図２（ｂ）】
2011529597.tif 000015
【図３（ａ）】
2011529597.tif 000016
【図３（ｂ）】
2011529597.tif 000017
【図３（ｃ）】
2011529597.tif 000018
【図４】
2011529597.tif 000019
【図５（ａ）】
2011529597.tif 000020
【図５（ｂ）】
2011529597.tif 000021
【図５（ｃ）】
2011529597.tif 000022
【図６（ａ）】
2011529597.tif 000023
【図６（ｂ）】
2011529597.tif 000024
【図７（ａ）】
2011529597.tif 000025
【図７（ｂ）】
2011529597.tif 000026
【図７（ｃ）】
2011529597.tif 000027
【図７（ｄ）】
2011529597.tif 000028
【図８】
2011529597.tif 000029
【図９（ａ）】
2011529597.tif 000030
【図９（ｂ）】
2011529597.tif 000031
【図１０】
2011529597.tif 000032
【図１１（ａ）】
2011529597.tif 000033
【図１１（ｂ）】
2011529597.tif 000034
【図１２】
2011529597.tif 000035
【図１３】
2011529597.tif 000036
【図１４（ａ）】
2011529597.tif 000037
【図１４（ｂ）】
2011529597.tif 000038
【図１５（ａ）】
2011529597.tif 000039
【図１５（ｂ）】
2011529597.tif 000040
【図１６（ａ）】
2011529597.tif 000041
【図１６（ｂ）】
2011529597.tif 000042
【図１６（ｃ）】
2011529597.tif 000043
【図１７（ａ）】
2011529597.tif 000044
【図１７（ｂ）】
2011529597.tif 000045
【図１８】
2011529597.tif 000046
【図１９】
2011529597.tif 000047
【図２０】
2011529597.tif 000048
【図２１】
2011529597.tif 000049
【図２２】
2011529597.tif 000050
【図２３】
2011529597.tif 000051
【図２４】
2011529597.tif 000052
【図２５】
2011529597.tif 000053
【図２６】
2011529597.tif 000054
【図２７】
2011529597.tif 000055
【図２８】
2011529597.tif 000056
【図２９】
2011529597.tif 000057
【図３０】
2011529597.tif 000058
【図３１】
2011529597.tif 000059
【図３２】
2011529597.tif 000060
【国際調査報告】
2011529597.tif 000061
2011529597.tif 000062
2011529597.tif 000063
2011529597.tif 000064
2011529597.tif 000065
2011529597.tif 000066
2011529597.tif 000067
2011529597.tif 000068